(57)【要約】【課題】マンホール下部の構造物内のみならず、構造物の隅々まで容易に点検可能にし、かつ個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供する。【解決手段】所定長さを有するパイプ状をした縦部材２と、この縦部材２と係合して三次元構造体Ａを組み立てる横部材１とからなり、縦部材２と横部材１とを組み立てて三次元構造体Ａを形成し、その内部に空間を形成可能にする。横部材１の端部に設けられている突出凹部と、縦部材２の外周部に設けられている突起部とが係合することにより、横部材１と縦部材２とが回動不能に接続されるようになっていると共に、横部材１が、一方に向けて開く略半円形の開口１ｂを備えたアーチ状に形成されている。【選択図】図４
2008063722.tif 000002
【特許請求の範囲】
【請求項１】
所定長さを有するパイプ状をした縦部材と、この縦部材と係合して三次元構造体を組み立てる横部材とからなり、前記縦部材と横部材とを組み立てて三次元構造体を形成し、その内部に空間を形成可能にする雨水貯留構造用部材において、
前記横部材の端部に設けられている突出凹部または突起部と、前記縦部材の外周部に設けられている突起部または突出凹部とが係合することにより、前記横部材と縦部材とが回動不能に接続されるようになっていると共に、前記横部材が、一方に向けて開く略半円形の開口を備えたアーチ状に形成されていることを特徴とする雨水貯留構造用部材。
【請求項２】
少なくとも前記略半円形をした開口とは反対側に位置する頂部側水平部と、前記略半円形をした開口の内周縁部と、この内周縁部の中央部に接して前記頂部側水平部に平行な接線部と、この接線部の両端部から前記略半円形開口の内周縁部に向けて延設された、前記接線部側に幾分凸をなす曲線部と、前記頂部側水平部の両端部から他端側に向けて延設する縦方向縁部とが、前記頂部側水平部の幅と同程度の厚みを有するリブに形成されている請求項１記載の雨水貯留構造用部材。
【請求項３】
請求項１又は２記載の雨水貯留構造用部材から組み立てられた三次元構造体を備え、この三次元構造体の上面側に被覆層が設けられる雨水貯留構造物。
【請求項４】
前記雨水貯留構造用部材を構成する横部材に形成された、一方に向けて開く略半円形の開口を、互いに対向させることにより略円形開口を形成して組み立てた請求項３記載の雨水貯留構造物。
【発明の詳細な説明】
【技術分野】
【０００１】
本発明は雨水貯留構造用部材とこれを用いた雨水貯留構造物に関し、詳しくは、所定長さを有するパイプ状をした縦部材と、この縦部材と係合して三次元構造体を組み立てる横部材とからなり、前記縦部材と横部材とを組み立てて三次元構造体を形成し、その内部に空間を形成可能にする雨水貯留構造用部材とこれを用いた雨水貯留構造物に関する。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、雨水貯留構造物あるいは雨水貯留用充填材などの開発が進んでいる。
【０００３】
このような雨水貯留構造物（以下、単に構造物ということがある）として、例えば、地面にピットを堀り、その外表面に遮水シートを敷設して、その上面に複数の容器状部材を縦横および上下に積み上げ、更に最上部に覆土などを施して被覆し、雨水を貯留する構造物の発明がなされている（特許文献１）。
【０００４】
あるいは、中空体である複数の着脱自在支柱を、連結部材によって垂直に固定してなる雨水貯留用充填材であって、連結部材が着脱自在の連結桟および縁枠により一体的に連結する等して、運搬中における隅部での支柱の脱落を防止できるようにした発明がなされている（特許文献２）。
【０００５】
容器状部材や着脱自在支柱と連結部材とからなる雨水貯留用充填材を使用しており、点検用の十分な広さの開口部が形成されていないため、保守点検は実質上できず、永年の使用により土砂が蓄積して所定の機能を発揮し得なくなった場合にも、清掃作業は容易でなく、機能を復帰させることはできない。
【０００６】
のみならず、上記従来技術の容器状部材や充填材を運搬する場合は、これらが雨水を貯留するための大きな空間を内蔵して嵩張るため、搬送量の割に輸送コストが高くかかるという問題がある。しかも、これらの容器状部材や充填材は形状が固定されているため、雨水貯留浸透槽の形状に対して柔軟に対応できないという問題もある。
【０００７】
そこで、本発明者は、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材として、所定長さを有する複数の樹脂製パイプ状部材と連結部材（接続部材）とを連結して三次元構造体に組み立て可能とし、その内部に空間を形成する雨水貯留構造用部材を提案した。
【０００８】
【特許文献１】特開昭６３−２６８８２３号公報
【特許文献２】特開２００４−１９２０５号公報
【発明の開示】
【発明が解決しようとする課題】
【０００９】
しかしながら、上記雨水貯留構造用部材を用いて組み立てた構造物の内部を点検する場合、構造物の上部にマンホールを設置するが、容易に点検できるのは、マンホール下部の構造物内もしくは構造物内の水位、水質であり、構造物の隅々まで点検するのは必ずしも容易ではない。
【００１０】
従って、本発明の目的は、上記従来技術の有する問題点に鑑みて、マンホール下部の構造物内のみならず、構造物の隅々まで容易に点検可能にし、それでいて、個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供することにある。
【課題を解決するための手段】
【００１１】
上記課題は、各請求項記載の発明により達成される。すなわち、本発明に係る雨水貯留構造用部材の特徴構成は、所定長さを有するパイプ状をした縦部材と、この縦部材と係合して三次元構造体を組み立てる横部材とからなり、前記縦部材と横部材とを組み立てて三次元構造体を形成し、その内部に空間を形成可能にする雨水貯留構造用部材において、前記横部材の端部に設けられている突出凹部または突起部と、前記縦部材の外周部に設けられている突起部または突出凹部とが係合することにより、前記横部材と縦部材とが回動不能に接続されるようになっていると共に、前記横部材が、一方に向けて開く略半円形の開口を備えたアーチ状に形成されていることにある。
【００１２】
この構成によれば、横部材が、一方に向けて開く略半円形の開口を備えたアーチ状に形成されているため、作業者が横方向にも移動し易く、更には、一対の横部材の開口を互いに対向させるようにすると、円形の開口が形成されるので、一層容易に作業者が横方向に移動し易くなり、構造物の内部にわたる広い範囲の点検が可能になる。しかも、横部材と縦部材との接続作業に困難性はなく、作業効率を低下させることがないのみならず、横部材と縦部材とが一体に係合することにより、水平方向からの負荷に対しても、大きな変形抵抗を発揮し得る。構成用部材が横部材と縦部材からなっているため、個別の部材として搬送でき、輸送時に嵩張らず、輸送量を多くできるため、輸送コストが低くて済む。もとより、横部材と縦部材とを組み合わせからなる三次元構造体は、組雨水貯留浸透槽の形状に対して柔軟に対応できるものとなる。
【００１３】
その結果、マンホール下部の構造物内のみならず、構造物の隅々まで容易に点検可能にし、それでいて、個々の構成部材から組立を容易にして、現地での組立を可能にすることにより輸送コストを低減でき、かつ雨水貯留浸透槽の形状に対して柔軟に対応可能な雨水貯留構造用部材を提供することができた。
【００１４】
少なくとも前記略半円形をした開口とは反対側に位置する頂部側水平部と、前記略半円形をした開口の内周縁部と、この内周縁部の中央部に接して前記頂部側水平部に平行な接線部と、この接線部の両端部から前記略半円形開口の内周縁部に向けて延設された、前記接線部側に幾分凸をなす曲線部と、前記頂部側水平部の両端部から他端側に向けて延設する縦方向縁部とが、前記頂部側水平部の幅と同程度の厚みを有するリブに形成されていることが好ましい。
【００１５】
この構成によれば、特に水平方向からの変形に対しても十分な強度を発揮することができて、高い耐震性を確保することができ、しかも効果的に重量軽減を図ることができる。
【００１６】
また、本発明に係る雨水貯留構造物の特徴構成は、請求項１又は２記載の雨水貯留構造用部材から組み立てられた三次元構造体を備え、この三次元構造体の上面側に被覆層が設けられることにある。
【００１７】
この構成によれば、マンホール下部の構造物内のみならず、構造物の隅々まで容易に点検可能にし、それでいて、個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供することができる。
【００１８】
前記雨水貯留構造用部材を構成する横部材に形成された、一方に向けて開く略半円形の開口を、互いに対向させることにより略円形開口を形成して組み立てたことが好ましい。
【００１９】
この構成によれば、点検時に作業者が横方向に移動し易い大きな空間を確保することができる。
【発明を実施するための最良の形態】
【００２０】
本発明に係る実施形態を、図面を参照して詳細に説明する。図１は、本実施形態に係る雨水貯留構造用組立部材として使用する横部材１を示し、図１（ａ）は正面構造、同（ｂ）は平面構造を示す。図２は図１の横部材と接続して三次元構造体を形成可能な縦部材２を示し、図２（ａ）は正面構造、同（ｂ）は平面構造を示す。
【００２１】
横部材１は樹脂製であり、図１（ｂ）に示すように、その両端部側に、長手方向中央部より細幅の連結部１ｇの先端に連結された平面視角形をした突起部１ａを備えており、この突起部１ａは縦部材２の外周部の突出凹部２ａに内嵌され縦部材２と、回動不能に強固に接続される。この横部材１は、図１（ａ）に示すように、その正面視中央部に一方に向けて開く略半円形をした開口１ｂを形成していて、横部材１の正面構造は略アーチ状に形成されている。
【００２２】
そして、略半円形開口１ｂとは反対側に位置し長手方向に平滑面が形成された頂部側水平部１ｄと、略半円形開口１ｂの内周縁部１ｃと、略半円形をした内周縁部１ｃの中央部に接して横部材１の頂部側水平部１ｄに平行な接線部１ｅと、この接線部１ｅの両端部から略半円形開口１ｂの内周縁部１ｃ（１／４円弧の略中間位置）に向けて延設された、接線部１ｅ側に幾分凸をなす曲線部１ｆと、横部材１の水平部１ｄの両端部から他端側に向けて延設する縦方向縁部１ｈと、この縦方向縁部１ｈから略半円形開口１ｂの開口端に向かう底部側水平部１ｉとが、それぞれ横部材１の頂部側水平部１ｄの幅と同程度の厚みを有するリブとして形成されている。
【００２３】
かかるリブの存在により、効果的な強度の増加が図られ、特に縦部材２と接続した場合に、剪断変形に対して大きい抵抗を発揮する。のみならず、水平方向からの過大な負荷に対しても大きな変形抵抗力を発揮し得るため、耐震構造を達成することができる。また、これらのリブに囲まれた個所は、肉薄に形成されて重量軽減が図られている。
【００２４】
縦部材２についても樹脂製からなり、所定長さを有していて、その中心部に貫通孔２ｂが形成されて略パイプ状をなしていると共に、その外周面の互いに９０°離間した４個所に、横部材１の突起部１ａを受け入れて外嵌可能にする突出凹部２ａが形成されている。すなわち、突出凹部２ａは、図２（ｂ）に見られるように、断面略鍵穴状の空間２ｃを形成していて、この略鍵穴状をした突出凹部２ａに、横部材１の連結部１ｇと突起部１ａとを内嵌させて両者を強固に一体化可能に接続する。
【００２５】
多数の横部材１と縦部材２を接続していくと、ジャングルジム状をした三次元構造体を構成することができる。その組み立てた一部を、図３，図４に示す。図３は、平面構造を示し、図４は正面構造を示す。この場合、図４に示すように、横部材１の一方側の略半円形開口１ｂどうしを互いに対向させることにより円形孔を形成すると、三次元構造体の横方向にも、この円形孔の内部を伝うことによって作業者が容易に移動でき、三次元構造体が配置される構造物の内部の隅々まで、点検することが容易となる。
【００２６】
以上に説明したように、立設された縦部材２の端部に形成されている突出凹部２ａの上端から、横部材１の突起部１ａを挿入・嵌合させて、そのまま横部材１の突起部１ａを突出凹部２ａの下端に向けて滑動させることにより、横部材１と縦部材２とが接続される。この動作を順次繰り返えすことにより、ジャングルジム状に三次元構造体を構成する雨水貯留構造用組立物Ａが形成される。
【００２７】
三次元構造体である雨水貯留構造用組立物Ａは、少なくとも１０８ｋＮ／ｍ2以上の上下方向から圧縮強度を有することが好ましい。このようにすれば、最上部に覆土２ｍ程度（負荷：約３６ｋＮ／ｍ2 ）を施工したとしても、土圧の３倍以上となる十分な強度を有する。具体的には、長さ約８０ｃｍの縦部材と長さ８０ｃｍの横部材を組み合わせる場合に６．２５本／ｍ2 となり、少なくとも上下方向からの圧縮強度約６９．２３ｋＮ／本を有する縦部材を用いる。
【００２８】
このようにすることにより、一旦雨水を貯留して、庭園などへの散水、洗浄水、非常用水など各種用途に利用したり、大量の雨水を徐々に放流できるような調整機能を備えさせたりすることができる。しかも、コンクリートで構成する場合に比べて、養生期間などが不要であることから、雨水貯留構造物の構築速度を格段に早くすることができる。
【００２９】
＜横部材の変形例＞
図５〜図７に横部材の変形例を示す。図５に示す横部材１０は、平面視でやや細い連結部１ｇの先端に連結された平面視略半円形をした突起部１０ａを備えている。その他の構造は、図１に示したと同様な構造を有する。このような構造であっても、図１に示した横部材と同様な効果を生じる。もとより、図５に示す横部材１０を使用する場合には、縦部材の外周部に、この突起部１０ａが挿入・嵌合可能な形状をした嵌合凹部が形成される。
【００３０】
また、図６に示すような構造を有する横部材２０であってもよい。この横部材２０は、平面視逆台形状をした突起部２０ａを両端に有しており、このような構造であっても、図１に示した横部材と同様な効果を生じる。もとより、図６に示す横部材２０を使用する場合には、縦部材の外周部に、この突起部２０ａが挿入・嵌合可能な形状をした嵌合凹部が形成される。
【００３１】
更に、図７に示すような構造を有する横部材３０であってもよい。この横部材３０は、平面視略円形をした突起部３０ａを両端に有しており、このような構造であっても、図１に示した横部材と同様な効果を生じる。もとより、図７に示す横部材３０を使用する場合には、縦部材の外周部に、この突起部３０ａが挿入・嵌合可能な形状をした嵌合凹部が形成される。
【００３２】
＜施工例＞
つぎに、図１，２に示した雨水貯留構造用組立部材を組み立てた雨水貯留構造用組立物Ａを、雨水貯留構造物に施工する例について、図８を参照して説明する。
【００３３】
この雨水貯留構造物は、一例として下記方法により形成される。まず、地面に１〜５ｍ程度の地面凹部（ピットということがある）を掘削・形成すると共に、ピット周囲に側溝７を形成し、ピットの底面に砕石、砂などを敷設・施工し平準化して基礎Ｂを形成する。その表面に遮水材である遮水シート４を敷設した後、後述する樹脂製の横部材１と縦部材２とから、図３，４に示すブロックを形成しつつ、更に継ぎ足し拡張して、ピットの内容積に応じジャングルジム状をした三次元構造体である雨水貯留構造用組立物Ａを配置する。ピットの内容積が大きい場合には、ピット内で雨水貯留構造用組立物Ａを組み立ててもよいし、雨水貯留構造用組立物Ａをピット外で組み立てた後、ピット内に配置するようにしてもよい。このようにして組み立てた雨水貯留構造用組立物Ａは、樹脂製あるいは金属製などのベルトで締結固定されることが好ましい。
【００３４】
ついで、ピット内に配置された雨水貯留構造用組立物Ａの側面部は、必要に応じて埋め戻しを行うと共に、側溝７よりピット内に雨水を流し込み可能に連通する配管８を敷設し、更に、上面に遮水シートを被覆し、その上から０．５〜１ｍ程度の土砂を被覆して覆土６とする。これら、上面の遮水シート、覆土６などは、被覆層を形成する。これら被覆層６の複数箇所には、点検孔５が設けられている。図８では、点検孔５は被覆層６の長手方向の左右２箇所に設けた例を示す。点検孔５として、例えば１号マンホールを採用すると、上面内径約６００ｍｍ、下方では内径約９００ｍｍに拡径された構造をしている。雨水貯留構造用組立物Ａの上面に、平板状のステンレス鋼からなる点検孔用部材を配設して、この点検孔用部材とマンホールを連通させるようにしてもよい。
【００３５】
なお、雨水貯留構造用組立物Ａ上面に遮水シートを被覆する代わりに、透水性シートを被覆して雨水を浸透させるようにしてもよい。側溝７は、その底部に泥溜９が形成されるように、底部が幾分深くなっている。図８中、図番１１は多量に流れ込んだ雨水を適宜排水する溢流管である。
【実施例】
【００３６】
図１に示すような高さ約４０ｃｍ、長さ約８０ｃｍ、長手方向中央部の幅約４ｃｍ、肉厚約４．０ｍｍ、直径約６０ｃｍの半円開口を有するポリプロピレン製アーチ状横部材（東洋ゴム工業社製）と、図２に示すような、外径１０ｃｍ、長さ約４０ｃｍのポリプロピレン製縦部材を用いると共に、一対の横部材どうしの開口を互いに対向させるようにして組み立て、図３，４にその一部を示すように、高さ約１．６ｍ、縦横約２．４ｍの雨水貯留構造組立物Ａを形成し、深さ約３．５ｍの所定内容積を有するピット内に配置し、図８に示すような雨水貯留構造物を構築した。このポリプロピレン製縦部材は、長さ方向の圧縮強度約１４０ｋＮ／４本（３５ｋＮ／本）を有しており、１ｍ2当たり１．５６本を使用すると、圧縮強度約２５０ｋＮ／ｍ2が得られ、覆土を２ｍ（負荷：約３６ｋＮ／ｍ2）とした場合でも、約６倍強の圧縮強度が得られるので、十分に実用的であることがわかる。
【００３７】
また、水平方向から１０％変形（高さ１６０ｃｍに対して１６ｃｍの変形）を加えた場合でも、横部材と縦部材との間で破壊や外れを生じることがなかった。実際、０．８ｍ×０．８ｍ×０．８ｍ（１ユニット０．８ｍピッチのため）の大きさで雨水貯留構造物を構築し、その上から２ｍの覆土に相当する重錘を載置して１年以上経過したが、使用上問題となる変形その他のトラブルは一切生じなかった。
【００３８】
しかも、このようにして構築した雨水貯留構造物では、上下方向に一辺約８０ｃｍ角の開口が形成されると共に、横方向の開口が約６０ｃｍの円形孔が確保されるので、施工後も作業者が雨水貯留構造物の隅々に至るまで容易に点検することができた。
【００３９】
〔別実施の形態〕
（１）上記実施形態の雨水貯留構造用部材において、横部材の端部に設けられている突出凹部と、縦部材の外周部に設けられている突起部とが係合することにより両者が接続される例を示したが、これに代えて、横部材の端部に設けられている突起部と、縦部材の外周部に設けられている突出凹部とが係合して接続されるようにしてもよい。
【００４０】
（２）上記実施形態の雨水貯留構造物において、雨水貯留構造用組立物Ａの内部に貯留された雨水を対流させる対流生成機構が、点検孔を介して挿入可能に構成されていてもよい。対流生成機構としては、例えば、軸先端にスクリュー装置が設けられて、これを雨水貯留構造用組立物Ａの内部に挿入し、電動機などによりスクリュー装置を駆動させる構成が考えられる。
【００４１】
この対流生成機構により、貯留されている雨水を撹拌・対流させ、雨水貯留構造用組立物Ａに付着している土砂などを底部に落下させると共に、これらの土砂および底部に堆積している土砂などを他方側に向けて押しやるようにする。そして、雨水貯留構造用組立物Ａの配置されている他方側に予め形成した、ピットの底部より低い凹所に土砂を集めた後、別の点検孔を介して、長尺のホース等を有して凹所に挿入可能なバキューム装置を用いて、土砂を吸引し外部に排出する。このようにすると、雨水貯留構造物に堆積した土砂を効果的に排出して、貯留した雨水を清浄にでき、雨水の利用範囲が拡大する。
【００４２】
（３）更に、雨水貯留構造用組立物Ａの内部に点検孔を介して曝気装置を挿入可能に構成されていてもよい。このようにすると、内部に貯留されている雨水に新鮮空気を取り入れて適宜曝気させ、酸化させることにより、雨水の清浄化を図り、水質の悪化を防止できる。
【００４３】
（４）上記対流生成機構、曝気装置を、それぞれ着脱自在の構成としてもよいし、雨水貯留構造物に固定してもよく、これらに用いる動力源としては、商用電源の他、可搬式の発電装置や、各種一次電池、二次電池などの電池を使用することができ、更には雨水貯留構造物の地上部に太陽電池発電装置や風力発電装置などを設けて、これから得られた電力を使用するようにしてもよい。
【００４４】
（５）上記実施形態の場合、樹脂製縦部材の構成材料としてポリプロピレン製を例示したが、これに限定されるものではなく、ポリエチレン、ポリ塩化ビニル、ＰＥＴ（ポリエチレンテレフタレート）等を使用してもよいし、必要な強度が得られれば、各種の熱可塑性樹脂を使用することができる。更に、縦部材として、樹脂製に代えてステンレス鋼などの金属製パイプとすることもでき、樹脂製縦部材の内部にコンクリートを注入したり、あるいは鉄筋コンクリートを挿入したりして補強してもよい。
【００４５】
（６）縦部材、横部材とは、同じ材質の樹脂製としてもよいが、異なる材質の樹脂製であってもよい。
【００４６】
（７）樹脂製縦部材、横部材の構成材料に、粉体状の炭酸カルシウム（炭カル）等を混入させるようにしてもよい。このようにすると、構成材料の比重を大きくすることができ、雨水を貯留する際に生じる浮力に抗することができ、浮力対策として特別な施工が不必要となり、小さいスペースでもより大きい貯水量が確保できて好ましい。具体的には、１３％程度の炭カルを樹脂に混入させることにより、比重を１．０以上にすることができる。
【００４７】
（８）上記構成材料に混入させる場合、炭カルに代えて、タルク、硫酸バリウムなどのウィスカーを混入させるようにしてもよい。これらは、炭カルに比べてアスペクト比が大きく、強度を高める効果が大きい。更に、ガラス繊維を上記構成部材に混入させても良い。ガラス繊維は、構成部材の比重を高めるだけでなく、強度、寸法安定性をも高めることができて好ましい。例えば、ガラス繊維を４．６ｗｔ％添加（２０ｗｔ％マスターバッチ１００に対して３０部添加）すると、比重は０．０３高くなり、強度は１５％向上し、成型時に収縮率は０．４％改善する。
【図面の簡単な説明】
【００４８】
【図１】本発明の一実施形態に係る雨水貯留構造用組立部材の横部材を示し、（ａ）は正面図（ｂ）は平面図
【図２】図１の雨水貯留構造用組立部材を構成する縦部材を示し、（ａ）は正面図（ｂ）は平面図
【図３】図１、図２の横部材と縦部材とを組み立てた三次元構造体の例を示す平面図
【図４】図３の正面図
【図５】横部材の変形例を示す平面図
【図６】横部材の他の変形例を示す平面図
【図７】横部材の更に他の変形例を示す平面図
【図８】本発明の一実施形態に係る雨水貯留構造用組立部材を用いた雨水貯留構造物の概略正面断面図
【符号の説明】
【００４９】
１        横部材
１ａ      突起部
１ｂ      略半円形をした開口
１ｃ      内周縁部
１ｄ      頂部側水平部
１ｅ      接線部
１ｆ      曲線部
１ｈ      縦方向縁部
２        縦部材
２ａ      突出凹部
６        被覆層
Ａ        三次元構造体
【図１】
2008063722.tif 000003
【図２】
2008063722.tif 000004
【図３】
2008063722.tif 000005
【図４】
2008063722.tif 000006
【図５】
2008063722.tif 000007
【図６】
2008063722.tif 000008
【図７】
2008063722.tif 000009
【図８】
2008063722.tif 000010